(57)【特許請求の範囲】
【請求項１】
貯炭場の敷炭部に石炭を堆積貯留可能な四方を壁で囲まれた形状のプール部を形成すると共に、該プール部の外周に水侵入防止壁を形成し、更に前記プール部の底部における四隅にコーナー排水枡を設けると共に、前記プール部の底部における一辺の１ケ所の位置に集合排水枡を設け、前記各コーナー排水枡からプール部の垂直な辺に沿って、プール部内の水を排水可能な縦式排水路を立ち上げると共に、各コーナー排水枡及び集合排水枡間を、プール部の底辺に沿って延び、プール部内の水を排水可能な連結排水路で、適宜の高低差を持たせて連結することにより、前記集合排水枡に排水を集合し得るよう構成し、前記集合排水枡の排水を汲み上げ可能なポンプを設け、
縦式排水路を構成する多孔管をプール部内の石炭から隔てる多孔板が、プール部の垂直な辺のコーナー部に、多孔管を収容可能な三角柱状の空間を形成するよう当接配置されたことを特徴とする貯炭場設備。
【請求項２】
プール部の垂直な辺に沿って延びる縦式排水路、及び、プール部の底辺に沿って延び、各コーナー排水枡及び集合排水枡間を連結する連結排水路を、胴面に多数の小孔を形成された多孔管で構成し、該多孔管を、石炭粉を濾過可能な濾過材、及び、多数の小孔を形成された多孔板を介して、プール部内の石炭から隔てて設けた請求項１記載の貯炭場設備。
【請求項３】
連結排水路を構成する多孔管をプール部内の石炭から隔てる多孔板が、プール部の底辺に沿って形成された多孔管を収容可能なＵ溝上に蓋をするよう配置された請求項２記載の貯炭場設備。
【発明の詳細な説明】
【０００１】
【発明の属する技術分野】
本発明は、貯炭場設備に関するものである。
【０００２】
【従来の技術】
図７は、石炭を陸揚げし、貯留し、供給するための揚運炭設備の概要を示すものである。
【０００３】
先ず、岸壁に接岸された船舶１からアンローダ２を用いて荷揚げされた石炭は、搬入用コンベヤ３、乗継建屋４、搬入用コンベヤ５、乗継建屋６、搬入用コンベヤ７、乗継建屋８、搬入用コンベヤ９、乗継建屋１０を介して搬入用コンベヤ１１へと送られ、搬入用コンベヤ１１から図示しないスタッカによって、貯炭場１２の第一パイル１３、又は、第二パイル１４へ落下投入され貯炭されるようになっている。
【０００４】
或いは、乗継建屋８から搬入用コンベヤ１５へと送られ、搬入用コンベヤ１５から図示しないスタッカによって、貯炭場１２の第三パイル１６へ落下投入され貯炭されるようになっている。
【０００５】
そして、貯炭場１２の第一パイル１３、又は、第二パイル１４へ貯炭された石炭は、図示しないリクレーマを用いて搬出用コンベヤ１７上へ取り出され、搬出用コンベヤ１７から乗継建屋１０、搬出用コンベヤ１８、乗継建屋８、搬出用コンベヤ１９、乗継建屋６、搬出用コンベヤ２０を介してボイラ設備２１へと送られ、ボイラ設備２１で発電に使用されるようになっている。
【０００６】
或いは、貯炭場１２の第三パイル１６へ貯炭された石炭は、図示しないリクレーマを用いて搬出用コンベヤ２２上へ取り出され、搬出用コンベヤ２２から乗継建屋８、搬出用コンベヤ１９、乗継建屋６、搬出用コンベヤ２０を介してボイラ設備２１へと送られ、ボイラ設備２１で発電に使用されるようになっている。
【０００７】
そして、貯炭場１２は越流防止堤２３で周囲を囲われると共に、越流防止堤２３で囲われた部分全体に緩い傾斜が付けられており、貯炭場１２へ降った雨水は、傾斜の下側へ向かって流れ、最も低い位置から排水路２４を介して、貯炭場１２の近くに設けられた水処理施設２５へと送られ、水処理施設２５で処理されるようになっている。
【０００８】
尚、図７では、パイル１３，１４，１６は三列設けられているが、パイルはボイラ設備２１の規模に応じて任意の列数設けることができる。
【０００９】
【発明が解決しようとする課題】
しかしながら、上記従来の貯炭場設備には、以下のような問題があった。
【００１０】
即ち、上記水処理施設２５は、設置する地域の降雨量に応じて十分な容量を持つように設計されているが、貯炭場１２からの排水には石炭粉などが多量に含まれていることから、水処理施設２５の排水をそのまま系外へ放出することができないので、万一、予想外の大雨が降って水処理施設２５が満杯になると、貯炭場１２からの排水ができなくなり、各パイル１３，１４，１６の石炭を冠水させて濡らしてしまうという問題があった。
【００１１】
このように石炭が冠水されて濡れると、石炭が水分を多量に吸収して湿分が高まり、荷くずれのため逆流し易くなって搬出用コンベヤ１７〜２０，２２で搬送できなくなったり、或いは、水分量の多い石炭によってボイラ設備２１における発電効率を低下させたりする原因となる。
【００１２】
しかも、水処理施設２５の水は、上記したように多量の石炭粉を含んでいるためそのまま系外へ逃がすことができないので、貯炭場１２に溜まった水が自然に蒸発する以外に石炭を乾燥する手段がなく、その間、上記問題は解決されないままとなる。
【００１３】
本発明は、上述の実情に鑑み、大雨が降った場合でも貯炭場の石炭の一部を冠水させないで済むようにした貯炭場設備を提供することを目的とするものである。
【００１４】
【課題を解決するための手段】
本発明は、貯炭場の敷炭部に石炭を堆積貯留可能な四方を壁で囲まれた形状のプール部を形成すると共に、該プール部の外周に水侵入防止壁を形成し、更に前記プール部の底部における四隅にコーナー排水枡を設けると共に、前記プール部の底部における一辺の１ケ所の位置に集合排水枡を設け、前記各コーナー排水枡からプール部の垂直な辺に沿って、プール部内の水を排水可能な縦式排水路を立ち上げると共に、各コーナー排水枡及び集合排水枡間を、プール部の底辺に沿って延び、プール部内の水を排水可能な連結排水路で、適宜の高低差を持たせて連結することにより、前記集合排水枡に排水を集合し得るよう構成し、前記集合排水枡の排水を汲み上げ可能なポンプを設け、
縦式排水路を構成する多孔管をプール部内の石炭から隔てる多孔板が、プール部の垂直な辺のコーナー部に、多孔管を収容可能な三角柱状の空間を形成するよう当接配置されたことを特徴とする貯炭場設備にかかるものである。
【００１５】
この場合において、プール部の垂直な辺に沿って延びる縦式排水路、及び、プール部の底辺に沿って延び、各コーナー排水枡及び集合排水枡間を連結する連結排水路を、胴面に多数の小孔を形成された多孔管で構成し、該多孔管を、石炭粉を濾過可能な濾過材、及び、多数の小孔を形成された多孔板を介して、プール部内の石炭から隔てて設けるようにしても良い。
【００１７】
同様に、連結排水路を構成する多孔管をプール部内の石炭から隔てる多孔板を、プール部の底辺に沿って形成された多孔管を収容可能なＵ溝上に蓋をするよう配置しても良い。
【００１８】
上記手段によれば、以下のような作用が得られる。
【００１９】
敷炭部に大雨によっても石炭が冠水しないだけの高さの水侵入防止壁で囲ったプール部を設けたので、貯炭場の他の部分に降った雨がプール部内へ侵入することが防止される。
【００２０】
そして、プール部に降った雨は、小孔を通して、プール部の垂直な辺に沿って設けられた縦式排水路やプール部の底辺に沿って延びる連結排水路を構成する多孔管の内部へ入り、縦式排水路や、コーナー排水枡や、連結排水路や、集合排水枡から成る排水経路を通って、集合排水枡へ集合される。
【００２１】
この際、縦式排水路や連結排水路を構成する多孔管を、石炭粉を濾過可能な粒径の砂利や活性炭などの濾過材、及び、多数の小孔を形成された多孔板を介して、プール部内の石炭から隔てて設けるようにしているため、プール部内の石炭粉が濾過材で濾過され、石炭粉が多孔管へ入り込むことが防止される。
【００２２】
これにより、プール部からの排水中の石炭粉の混入量を大幅に減少することができるようになると共に、プール部内からの石炭粉の流出を防止することができるようになり、且つ、石炭粉によって多孔管が詰まるのを防止することができるようになる。
【００２３】
更に、縦式排水路は、多孔管を、プール部の垂直な辺のコーナー部に沿って配設し、その上からグレーチングなどの多孔板を、三角柱状の空間を形成するよう取付けると共に、前記三角柱状の空間に前記濾過材を充填するようにしているので、構造が簡単で、詰まり難く、且つ、メンテナンスが容易である。
【００２４】
同様に、連結排水路は、多孔管を、プール部の底辺に沿って形成されたＵ溝内に収容し、その上から濾過材を挿入して、Ｕ溝をグレーチングなどの多孔板で蓋するようにしているので、構造が簡単で、詰まり難く、且つ、メンテナンスが容易である。
【００２５】
しかも、プール部にとって最も水が溜まり易い、或いは、水が残り易い、プール部の垂直な辺やプール部の底辺の部分に、縦式排水路や連結排水路を設けているので、プール部からの排水性を良好にすることができる。
【００２６】
そして、前記集合排水枡に集められた排水は、ポンプによって強制的に汲み上げられる。
【００２７】
このように、貯炭場の他の部分と絶縁されたプール部を設け、プール部の外周に水侵入防止壁を設けて外部からの水の侵入がないようにし、プール部の排水を良好にした上で、プール部からポンプによって直接且つ強制的に排水できるようにしたので、大雨によって他のパイルが冠水したような場合でも、プール部の上に形成されたパイルの石炭だけは冠水せずに済ませることができる。
【００２８】
【発明の実施の形態】
以下、本発明の実施の形態を、図示例と共に説明する。
【００２９】
図１〜図６は、本発明の実施の形態の一例である。
【００３０】
図中、２６は貯炭場、２７は貯炭場２６の周囲を囲むように設けられた越流防止堤、２８は越流防止堤２７の上部に設けられた防風フェンス、２９〜３３は貯炭場２６の内部に複数列設けられた細長い敷炭部、３４〜３８は敷炭部２９〜３３に積み上げられた石炭のパイル、３９は敷炭部２９〜３３におけるパイル３４〜３８の両側に形成されたブルドーザ等用通路、４０は敷炭部２９〜３３の間に形成された、図示しない搬入用コンベヤや搬出用コンベヤを設置したり、図示しないスタッカやリクレーマの走行用のレールを設置するための道床部、４１は貯炭場２６に設けられた傾斜を付けられた排水路、４２は排水路４１に接続された水処理施設である。
【００３１】
そして、本発明では、複数列ある敷炭部２９〜３３のうちの少くとも一つ（図では敷炭部２９となっている）に、石炭を堆積貯留可能な、四方を壁で囲まれた形状（例えば、直方体状）のプール部４３を一槽又は多数槽に分けて直列（図では４となっている）に形成すると共に、各プール部４３の外周に大雨によっても石炭が冠水しないだけの高さ（地域にもよるが、例えば、高さ１ｍ以上とする）を有する水侵入防止壁４４を形成する。
【００３２】
更に、前記プール部４３の底部における四隅にコーナー排水枡４５〜４８を設けると共に、前記プール部４３の底部における一辺の１ケ所の位置（例えば、中央部）に集合排水枡４９を設ける。
【００３３】
次に、前記各コーナー排水枡４５〜４８からプール部４３の垂直な辺に沿って、プール部４３内の水を排水可能な縦式排水路５０〜５３を立ち上げると共に、各コーナー排水枡４５〜４８及び集合排水枡４９間を、プール部４３の底辺に沿って延び、プール部４３内の水を排水可能な連結排水路５４〜５７で、適宜の高低差を持たせて連結することにより、前記集合排水枡４９に排水を集合し得るよう構成する。
【００３４】
ここで、プール部４３の垂直な辺に沿って延びる縦式排水路５０〜５３、及び、プール部４３の底辺に沿って延び、各コーナー排水枡４５〜４８及び集合排水枡４９間を連結する連結排水路５４〜５７は、胴面に多数の小孔５８を形成されたテーロン管などの多孔管で構成するようにし、該多孔管を、石炭粉を濾過可能な粒径の砂利や活性炭などの濾過材５９、及び、多数の小孔６０を形成されたグレーチングなどの多孔板６１を介して、プール部４３内の石炭から隔てて設ける。
【００３５】
特に、縦式排水路５０〜５３は、図５に示すように、多孔管を、プール部４３の垂直な辺のコーナー部に沿って配設し、その上からグレーチングなどの多孔板６１を、三角柱状の空間６８を形成するよう前記コーナー部に形成された座６２に多数枚当接してボルト６３などで着脱可能に固定すると共に、前記三角柱状の空間６８に前記濾過材５９を充填することにより、構造が簡単で、詰まり難く、且つ、メンテナンスが容易なように構成している。
【００３６】
同様に、連結排水路５４〜５７は、図６に示すように、多孔管を、プール部４３の底辺に沿って形成されたＵ溝６４内に収容し、その上から濾過材５９を挿入して、Ｕ溝６４をグレーチングなどの多孔板６１で蓋することにより、構造が簡単で、詰まり難く、且つ、メンテナンスが容易なように構成している。
【００３７】
最後に、前記集合排水枡４９に連通路６５を介して取水枡６６を連通し、該取水枡６６内に排水を汲み上げ可能なポンプ６７を設ける。尚、該ポンプ６７で汲み上げた排水は、直接、水処理施設４２へ送るようにする。
【００３８】
次に、本実施の形態の作動について説明する。
【００３９】
船舶で運んできた石炭を貯炭場２６に荷揚げし、ボイラ設備で使用する過程については、図７と同様なので、説明を省略する。
【００４０】
貯炭場２６に雨が降った場合、雨水は、傾斜を付けられた排水路４１を通って水処理施設４２へと流され、水処理施設４２で処理される。
【００４１】
そして、上記水処理施設４２は、設置する地域の降雨量に応じて十分な容量を持つように設計されているが、貯炭場２６からの排水には石炭粉などが多量に含まれていることから、水処理施設４２の排水をそのまま系外へ放出することができないので、万一、予想外の大雨が降って水処理施設４２が満杯になると、貯炭場２６からの排水ができなくなり、各パイル３４〜３８の石炭を冠水させて濡らしてしまうおそれがある。
【００４２】
しかし、本発明では、複数ある敷炭部２９〜３３のうちの少くとも一つに大雨によっても石炭が冠水しないだけの高さの水侵入防止壁４４で囲ったプール部４３を設けたので、貯炭場２６の他の部分に降った雨がプール部４３内へ侵入することが防止される。
【００４３】
そして、プール部４３に降った雨は、小孔５８を通して、プール部４３の垂直な辺に沿って設けられた縦式排水路５０〜５３やプール部４３の底辺に沿って延びる連結排水路５４〜５７を構成する多孔管の内部へ入り、縦式排水路５０、コーナー排水枡４５、連結排水路５４及び縦式排水路５１、コーナー排水枡４６、連結排水路５５、集合排水枡４９から成る排水経路を通って、集合排水枡４９へ集合され、同様に、縦式排水路５２、コーナー排水枡４７、連結排水路５６及び縦式排水路５３、コーナー排水枡４８、連結排水路５７、集合排水枡４９から成る排水経路を通って、集合排水枡４９へ集合される。
【００４４】
この際、縦式排水路５０〜５３や連結排水路５４〜５７を構成する多孔管を、石炭粉を濾過可能な粒径の砂利や活性炭などの濾過材５９、及び、多数の小孔６０を形成されたグレーチングなどの多孔板６１を介して、プール部４３内の石炭から隔てて設けるようにしているため、プール部４３内の石炭粉が濾過材５９で濾過され、石炭粉が多孔管へ入り込むことが防止される。
【００４５】
これにより、プール部４３からの排水中の石炭粉の混入量を大幅に減少することができるようになると共に、プール部４３内からの石炭粉の流出を防止することができるようになり、且つ、石炭粉によって多孔管が詰まるのを防止することができるようになる。
【００４６】
更に、縦式排水路５０〜５３は、図５に示すように、多孔管を、プール部４３の垂直な辺のコーナー部に沿って配設し、その上からグレーチングなどの多孔板６１を、三角柱状の空間６８を形成するよう前記コーナー部に形成された座６２に多数枚当接してボルト６３などで着脱可能に固定すると共に、前記三角柱状の空間６８に前記濾過材５９を充填するようにしているので、構造が簡単で、詰まり難く、且つ、メンテナンスが容易である。
【００４７】
同様に、連結排水路５４〜５７は、図６に示すように、多孔管を、プール部４３の底辺に沿って形成されたＵ溝６４内に収容し、その上から濾過材５９を挿入して、Ｕ溝６４をグレーチングなどの多孔板６１で蓋するようにしているので、構造が簡単で、詰まり難く、且つ、メンテナンスが容易である。
【００４８】
しかも、プール部４３にとって最も水が溜まり易い、或いは、水が残り易い、プール部４３の垂直な辺やプール部４３の底辺の部分に、縦式排水路５０〜５３や連結排水路５４〜５７を設けているので、プール部４３からの排水性を良好にすることができる。
【００４９】
そして、前記集合排水枡４９に集められた排水は、連通路６５を介して連通された取水枡６６へ流れ、取水枡６６からポンプ６７によって強制的に汲み上げられて、直接、水処理施設４２へ送られる。
【００５０】
このように、貯炭場２６の他の部分と絶縁されたプール部４３を設け、プール部４３の外周に水侵入防止壁４４を設けて外部からの水の侵入がないようにし、プール部４３の排水を良好にした上で、プール部４３からポンプ６７によって直接且つ強制的に水処理施設４２へ排水できるようにしたので、大雨によって他のパイル３５〜３８が冠水したような場合でも、プール部４３の上に形成されたパイル３４の石炭だけは冠水させずに済ませることができる。
【００５１】
尚、水処理施設４２の水は、上記したように貯炭場２６の他の部分からの排水などにより多量の石炭粉を含んでいるためそのまま系外へ逃がすことができないので、貯炭場２６に溜まった水が自然に蒸発する以外に石炭を乾燥する手段がないが、本発明では、貯炭場２６の水が蒸発して、冠水したパイル３５〜３８の石炭が乾くまでの間は、冠水しなかったプール部４３のパイル３４の石炭を切出してボイラ設備に使用し続けさせることができる。この際、プール部４３を形成して石炭を積み上げるようにしているので、通常のパイル３５〜３８に比べて多量の石炭を堆積させることが可能となり、冠水されない石炭を多く確保することが可能となる。
【００５２】
これにより、支障なく搬出用コンベヤ１７〜２０，２２で石炭を搬送することができるようになり、水分量の多い石炭によってボイラ設備における発電効率が低下されることが防止される。
【００５３】
又、ボイラ設備では、異なる炭種の石炭を混合して燃焼させるようにする場合があるが、このような場合には、２つの敷炭部２９，３０に対しプール部４３を設けて、各プール部４３にそれぞれ異なる炭種の石炭を積むようにしても良い。
【００５４】
尚、本発明は、上述の実施の形態にのみ限定されるものではなく、本発明の要旨を逸脱しない範囲内において種々変更を加え得ることは勿論である。
【００５５】
【発明の効果】
以上説明したように、本発明の貯炭場設備によれば、大雨が降った場合でも貯炭場の石炭の一部を冠水させないようにすることができるという優れた効果を奏し得る。
【図面の簡単な説明】
【図１】本発明の実施の形態の一例の全体概略平面図である。
【図２】図１のＩＩ−ＩＩ矢視図である。
【図３】プール部の概略拡大斜視図である。
【図４】コーナー排水枡４６部分の概略拡大斜視図である。
【図５】縦式排水路５０部分の概略平面図である。
【図６】連結排水路５４〜５７部分の概略側方断面図である。
【図７】貯炭場を含む揚運炭設備の全体概略平面図である。
【符号の説明】
２６    貯炭場
２７    越流防止堤
２９〜３３        敷炭部
３４〜３８        パイル
４３    プール部
４４    水侵入防止壁
４５〜４８        コーナー排水枡
４９    集合排水枡
５０〜５３        縦式排水路
５４〜５７        連結排水路
５８    多孔管の小孔
５９    濾過材
６０    多孔板６１の小孔
６１    多孔板
６４    Ｕ溝
６７    ポンプ
６８    三角柱状の空間
【図１】
0003586936.tif 000002
【図２】
0003586936.tif 000003
【図３】
0003586936.tif 000004
【図４】
0003586936.tif 000005
【図５】
0003586936.tif 000006
【図６】
0003586936.tif 000007
【図７】
0003586936.tif 000008